(57)【要約】【課題】本発明の課題は、電動送風機を保護するケースに出力向上のための開口を設けた電気掃除機であって、優れた吸込仕事率を発揮しつつ騒音の増加を抑えて安全性を確保した電気掃除機を提供することにある。【解決手段】本発明の電気掃除機は、モータと、モータの回転軸に連結され、モータの外径よりも大きい外径を有するファンと、モータ及び前記ファンを覆うハウジングと、モータの配置位置に対応するハウジングの部分の外周を覆うカバーを有する電動送風機と、保護のためその周囲を覆うモータケースと、それらを収める下ケースとを備えた電気掃除機において、下ケースには損失低減のための開口を有し、その開口方向からの投影方向上にモータケースを配置し、モータケースにも損失低減のための開口を下ケース開口投影方向と重なるように設け、下ケース開口とモータケース開口を遮る位置に壁を形成したことを特徴とする。【選択図】  図８
2013009788.tif 000002
【特許請求の範囲】
【請求項１】
モータと、前記モータの回転軸に連結され、前記モータの外径よりも大きい外径を有するファンと、前記モータ及び前記ファンを覆うハウジングと、前記モータの配置位置に対応する前記ハウジングの部分の外周を覆うカバーを有する電動送風機と、保護のためその周囲を覆うモータケースと、それらを収める下ケースとを備えた電気掃除機において、
前記下ケースには損失低減のための開口を有し、その開口方向からの投影方向上に前記モータケースを配置し、前記モータケースにも損失低減のための開口を前記下ケース開口と重なるように設け、前記下ケース開口と前記モータケース開口を遮る位置に壁を形成したことを特徴とする電気掃除機。
【請求項２】
請求項１に記載の電気掃除機において、
前記壁は、前記モータケースから形成したことを特徴とする電気掃除機。
【請求項３】
請求項１または２に記載の電気掃除機において、
前記下ケースの側面に電気掃除機を移動させるための車輪を有し、前記車輪を車輪の軸方向から見た際に、前記車輪が前記モータケース開口と前記下ケース開口を覆っていることを特徴とする電気掃除機。
【請求項４】
モータと、モータの回転軸に連結されるファンと、前記モータ及びファンを覆うハウジングと、を有する電動送風機と、前記電動送風機の周囲を覆うモータケースと、前記モータケースを収める下ケースとを備えた電気掃除機において、
前記モータケースは、モータケース開口と、前記モータケース開口を覆う部材を有し、  前記下ケースは、下ケース開口を有し、
前記モータケースを前記下ケースに収めた際に、前記モータケース開口は前記下ケース開口の周囲となり、前記部材が前記モータケース開口と前記下ケース開口の間に位置することを特徴とする電気掃除機。
【請求項５】
電動送風機と、前記電動送風機を覆うケースと、前記ケースを収める掃除機本体と、を有する電気掃除機において、
前記ケースは、ケース開口と、前記ケース開口を覆う部材とを有し、
前記掃除機本体は、排気口を有し、
前記ケースを前記掃除機本体に収めた際に、前記ケース開口は前記排気口の周囲となり、前記部材が前記ケース開口と前記排気口の間に位置することを特徴とする電気掃除機。
【請求項６】
モータと、前記モータの回転軸に連結され前記モータの外径よりも大きい外径を有するファンと、前記モータを覆うモータハウジングと、前記ファンを覆うファンハウジングとからなる電動送風機と、前記電動送風機を覆うモータケースと、前記モータケースを収める下ケースを備え、
前記下ケースは側面に下ケース開口を有し、前記モータケースは、モータケース開口と、前記モータケース開口の周囲にリブが設けられ、前記リブの端部にモータケース開口と下ケース開口を遮る壁を形成することを特徴とする電気掃除機。
【発明の詳細な説明】
【技術分野】
【０００１】
本発明は、電動送風機を備える電気掃除機に関する。
【背景技術】
【０００２】
一般に、電気掃除機の電動送風機は、モータと、このモータの回転軸に連結されたファンとがハウジング内に収納されて構成されている。このような電動送風機においては、モータの外径よりも大きい外径のファンが取り付けられている。ハウジングは、モータを収納するための円筒形状のモータハウジングと、ファンを収納するための円筒形状のファンハウジングと、が一体となるように形成されている。ファンハウジングはモータハウジングよりも拡径した円筒形状をしている。
【０００３】
そして電動送風機は、掃除機本体の吸込流路とファン側が接続し、排気流路とモータ側が接続するように掃除機本体内に配置される。
【０００４】
このような電気掃除機においては、モータが起動してファンが回転すると、ファンがファンハウジングの前に形成された吸入口（いわゆる目玉部）から空気をファンハウジング内に吸い込み、モータハウジングの後部に形成された排気口から空気を排出する。これにより、電気掃除機は、吸口体及びホースを介して空気を本体内に吸い込むと共に、吸い込んだ空気に同伴するゴミを所定の紙パックやサイクロン室で分離した後、空気を電動送風機のハウジング内から排気口を介して電気掃除機の本体外に排出する。
【０００５】
ところで、一般にモータを所定のハウジング内に備える種々の産業機器においては、モータの騒音や振動を低減するために、また、外部からの衝撃や異物の混入からモータを保護するために、更に、万が一モータから発火した際に外部を保護するために、モータを別部品であるモータケースに収め、所定の位置に取り付けることがある。したがって、電気掃除機の電動送風機においても、騒音低減などのためにモータハウジングの周囲にモータケースを設けることが望ましい。
【０００６】
その一方で、近年の電気掃除機は、従来の電気掃除機に比べて一段とモータの高出力化が図られており、モータは４００００rpmを超える高速回転が可能となっている。そして、電気掃除機は、そのようなモータのパフォーマンスが十分に反映されるように、電動送風機の排気抵抗を低く抑える必要がある。排気抵抗を低く抑えると、電気掃除機は吸込仕事率を向上させることができる。
【０００７】
低騒音化を図った構造を有した電気掃除機は、例えば、特許文献１に記載されているようなものがある。特許文献１は、電動送風機の下方を覆うカバー体と、カバー体の上方開口部を閉鎖する仕切壁を有し、カバー体と仕切壁との当接部には周縁全周には座面を設け、その座面の中間付近に仕切壁の下方開口部分の周縁が当接し、仕切壁の下方開口部の周縁両側を挟むようにリブ体を設けた技術が記載されている。
【０００８】
また、特許文献２のように、吸込仕事率の向上と低騒音化を両立させた電気掃除機が記載されているようなものがある。特許文献２の電動送風機は、ファン部に第一の排気口、モータ部に第二の排気口を有し、電動送風機の外周を覆うケースを備え、このケースも第一の排気口と第二の排気口を有しており、ファン部，モータ部から排出された排気流は、別々の排気口からケースの外へ排出する技術が記載されている。
【先行技術文献】
【特許文献】
【０００９】
【特許文献１】特開２００１―０８７１７４号公報
【特許文献２】特開２００５―０６５９１３号公報
【発明の概要】
【発明が解決しようとする課題】
【００１０】
しかしながら、特許文献１に記載の技術は、電動送風機を覆うカバー体と仕切壁の当接部にリブ体を設けたことから、電動送風機の排気抵抗が大きくなり、その結果電気掃除機の吸込仕事率が低減してしまう恐れがある。さらに、カバー体と仕切壁を組み立てるに際し、非常に時間と労力が多くなる恐れがある。
【００１１】
また、特許文献２に記載の技術は、ケースに排気口を２つ設けており、ケースに設けた排気口から出た２つの排気流がぶつかり合うことによって発生した乱気流により騒音の増加や吸込仕事率の低下が懸念される。
【００１２】
また、特許文献２に記載されるように、ケースの壁面に開口を設けると、ケースの剛性が低下し振動低減効果が薄れる恐れや流体音が通過しやすくなることによる騒音の上昇が懸念される。また、万が一モータから発火が起きた場合、モータケースの開口部より本体構成部品へ引火する恐れがある。
【００１３】
そこで、本発明の課題は、電動送風機を保護するケースに出力向上のための開口を設けた電気掃除機であって、優れた吸込仕事率を発揮しつつ騒音の増加を抑えて安全性を確保した電気掃除機を提供することにある。
【課題を解決するための手段】
【００１４】
前記課題を解決した請求項１に記載の本発明の電気掃除機は、モータと、前記モータの回転軸に連結され、前記モータの外径よりも大きい外径を有するファンと、前記モータ及び前記ファンを覆うハウジングと、前記モータの配置位置に対応する前記ハウジングの部分の外周を覆うカバーを有する電動送風機と、保護のためその周囲を覆うモータケースと、それらを収める下ケースとを備えた電気掃除機において、
前記下ケースには損失低減のための開口を有し、その開口方向からの投影方向上に前記モータケースを配置し、前記モータケースにも損失低減のための開口を前記下ケース開口投影方向と重なるように設け、前記下ケース開口と前記モータケース開口を遮る位置に壁を形成したことを特徴とする。
【００１５】
また、請求項２に記載の電気掃除機は、前記壁を前記モータケースから形成したことを特徴とする。
【００１６】
また、請求項３に記載の電気掃除機は、前記下ケースの側面に電気掃除機を移動させるための車輪を有し、前記車輪を車輪の軸方向から見た際に、前記車輪が前記モータケース開口と前記下ケース開口を覆っていることを特徴とする。
【００１７】
あるいは、モータと、モータの回転軸に連結されるファンと、前記モータ及びファンを覆うハウジングと、を有する電動送風機と、前記電動送風機の周囲を覆うモータケースと、前記モータケースを収める下ケースとを備えた電気掃除機において、前記モータケースは、モータケース開口と、前記モータケース開口を覆う部材を有し、前記下ケースは、下ケース開口を有し、前記モータケースを前記下ケースに収めた際に、前記モータケース開口は前記下ケース開口の周囲となり、前記部材が前記モータケース開口と前記下ケース開口の間に位置することを特徴とする。
【００１８】
あるいは、電動送風機と、前記電動送風機を覆うケースと、前記ケースを収める掃除機本体と、を有する電気掃除機において、前記ケースは、ケース開口と、前記ケース開口を覆う部材とを有し、前記掃除機本体は、排気口を有し、前記ケースを前記掃除機本体に収めた際に、前記ケース開口は前記排気口の周囲となり、前記部材が前記ケース開口と前記排気口の間に位置することを特徴とする電気掃除機。
【００１９】
あるいは、モータと、前記モータの回転軸に連結され前記モータの外径よりも大きい外径を有するファンと、前記モータを覆うモータハウジングと、前記ファンを覆うファンハウジングとからなる電動送風機と、前記電動送風機を覆うモータケースと、前記モータケースを収める下ケースを備え、前記下ケースは側面に下ケース開口を有し、前記モータケースは、モータケース開口と、前記モータケース開口の周囲にリブが設けられ、前記リブの端部にモータケース開口と下ケース開口を遮る壁を形成することを特徴とする。
【発明の効果】
【００２０】
本発明の請求項１によれば、下ケースには損失低減のための開口を有し、その開口方向からの投影方向上にモータケースを配置し、モータケースにも損失低減のための開口を下ケース開口投影方向と重なるように設け、下ケース開口とモータケース開口を遮る位置に壁を形成したことにより、高出力化が図られた近年の電動送風機のパフォーマンスを吸引性能に十分に反映し、優れた吸込仕事率を発揮しつつ騒音の増加を抑えて安全性を確保した電気掃除機を提供することができる。
【００２１】
また、本発明の請求項２によれば、壁をモータケースから形成したことにより、部品点数を増やすことなく騒音の低減を図ることができる。
【００２２】
また、本発明の請求項３によれば、車輪によりモータケース開口と下ケース開口を覆うことにより、吸込仕事率を維持しつつ更に騒音の低減を図ることができる。
【００２３】
あるいは、請求項４によれば、モータと、モータの回転軸に連結されるファンと、前記モータ及びファンを覆うハウジングと、を有する電動送風機と、前記電動送風機の周囲を覆うモータケースと、前記モータケースを収める下ケースとを備えた電気掃除機において、前記モータケースは、モータケース開口と、前記モータケース開口を覆う部材を有し、前記下ケースは、下ケース開口を有し、前記モータケースを前記下ケースに収めた際に、前記モータケース開口は前記下ケース開口の周囲となり、前記部材が前記モータケース開口と前記下ケース開口の間に位置することにより、優れた吸込仕事率を発揮しつつ騒音の増加を抑えて安全性を確保した電気掃除機を提供することができる。
【００２４】
あるいは、請求項５によれば、電動送風機と、前記電動送風機を覆うケースと、前記ケースを収める掃除機本体と、を有する電気掃除機において、前記ケースは、ケース開口と、前記ケース開口を覆う部材とを有し、前記掃除機本体は、排気口を有し、前記ケースを前記掃除機本体に収めた際に、前記ケース開口は前記排気口の周囲となり、前記部材が前記ケース開口と前記排気口の間に位置することにより、優れた吸込仕事率を発揮しつつ騒音の増加を抑えて安全性を確保した電気掃除機を提供することができる。
【００２５】
あるいは、請求項６によれば、モータと、前記モータの回転軸に連結され前記モータの外径よりも大きい外径を有するファンと、前記モータを覆うモータハウジングと、前記ファンを覆うファンハウジングとからなる電動送風機と、前記電動送風機を覆うモータケースと、前記モータケースを収める下ケースを備え、前記下ケースは側面に下ケース開口を有し、前記モータケースは、モータケース開口と、前記モータケース開口の周囲にリブが設けられ、前記リブの端部にモータケース開口と下ケース開口を遮る壁を形成することにより、優れた吸込仕事率を発揮しつつ騒音の増加を抑えて安全性を確保した電気掃除機を提供することができる。
【図面の簡単な説明】
【００２６】
【図１】本発明の実施形態に係る電気掃除機の外観斜視図である。
【図２】図１に示す電気掃除機の掃除機本体の縦断面図である。
【図３】図１に示す電気掃除機の電動送風機の縦断面図である。
【図４】図１に示す電気掃除機の電動送風機に、本発明のモータケースを取り付けた様子を示す後方斜視図である。
【図５】図４の電動送風機を下ケースに収めた様子を示す後方斜視図である。
【図６】図５のＡ方向からの様子を示す側面図である。
【図７】図６において、車輪を図示し開口を覆う様子を示す側面図である。
【図８】本発明のモータケース流路部分を示す、図７のＢ−Ｂ断面図である。
【図９】図１に示す電気掃除機の電動送風機に、従来構造のモータケースを取り付けた様子を示す後方斜視図である。
【図１０】図９の電動送風機を下ケースに収めた様子を示す後方斜視図である。
【発明を実施するための形態】
【００２７】
以下に、本発明の実施形態について適宜図面を参照しながら詳細に説明する。
【００２８】
なお、以下の説明における前後の方向は、図１に示す掃除機本体１０１の前後の方向を基準とする。
【００２９】
図１は、本発明の実施形態に係る電気掃除機の外観斜視図である。
【００３０】
図１に示すように、本実施形態に係る電気掃除機１０は、後記する電動送風機２０（図２参照）を内側に収納する掃除機本体１０１を備えると共に、この掃除機本体１０１の前側には、ホース１０２と、手元操作部１０３と、延長管１０４と、吸口体１０５とがこの順番に接続されて構成されている。
【００３１】
なお、図１中、符号１０６は、手元操作部１０３に設けられ、電動送風機２０（図２参照）をオンオフするスイッチ操作部である。
【００３２】
掃除機本体１０１には、移動のための車輪１０７が取り付けられている（図５，図６，図９には図示せず）。
【００３３】
以下、図に記載の上下方向、前後方向に従う。
【００３４】
図２は、図１に示す電気掃除機の掃除機本体１０１の縦断面図である。
【００３５】
掃除機本体１０１は、図２に示すように、本体内の前側に集塵室２０１が区画されると共に、後側に電動送風機室２０２が区画されている。この集塵室２０１と電動送風機室２０２とは、フィルタ部２０３を介して連通している。
【００３６】
集塵室２０１には、紙パック２０４（図示せず）が収納されている。この紙パック２０４の開口は、ホース１０２（図１参照）が接続されるホース継ぎ手２０５側に位置するように配置されている。
【００３７】
なお、本実施形態の電気掃除機１０では、紙パック２０４を使用する方式について説明しているが、本発明はサイクロン方式のものであっても適用できる。ちなみに、サイクロン方式の電気掃除機は、集塵室２０１に対応する部分にサイクロン室が形成されることとなり、紙パックの代わりにサイクロン集塵部が設けられる
【００３８】
電動送風機室２０２には、電動送風機２０が収納されている。この電動送風機２０は、その前側に形成された図３に示す吸入口３０５がフィルタ部２０３側（掃除機本体１０１の前側）に向くように配置されて、防振ゴム２０６を介して電動送風機室２０２内に取り付けられている。
【００３９】
電動送風機２０は、図３に示すように、送風機構３０１がファンハウジング３０２内に収納され、モータ３０３がモータハウジング３０４内に収納されて構成されている。電動送風機２０において、送風機構３０１はモータ３０３の前に設けられており、吸入口３０５は送風機構３０１の前に設けられている。ファンハウジング３０２とモータハウジング３０４は接続されている。モータ３０３の回転により送風機構３０３が回転し吸入口３０５から電動送風機２０内に空気を流入させる。
【００４０】
次に、モータケース４０について説明する。
【００４１】
モータケース４０は、図４及び図５に示すように、モータハウジング３０４の周面を覆うように形成されており、下ケース５０のリブ５０１と嵌合することでモータ３０３を取り囲むような位置関係となる。ここで下ケース５０にリブを設けず、モータケース４０単体でモータ３０３の周囲を取り囲むような形状としてもよい。モータケース４０を設けることによりモータ３０３からの騒音や振動が低減される。
【００４２】
下ケース５０には図５に示すように、排気損失低減のための下ケース開口５０２が設けてある。下ケース５０の前部にはホース１０２と連通するホース継ぎ手２０５が形成されており、側面には車輪１０７を設けられるようになっている。本実施例においては、下ケース開口５０２は下ケース５０の側面の車輪１０７が設けられる位置に設けられている。ただし、下ケース開口５０２の位置はこの限りではない。モータケース４０からの排気損失を低減するためには、下ケース５０２の開口の位置はモータケース４０を収める位置の周囲にあればよい。
【００４３】
モータケース４０には、モータケース開口４０１が設けられている。モータケース開口４０１は、下ケース５０に収めた際に下ケース開口５０２の開口方向に投影した際に下ケース開口５０２と重なる位置に設けられている。本実施例においては、モータケース開口４０１はモータケース４０の側部に設けられている。モータケース開口４０１の位置はこの限りではない。ただし、排気損失を低減するためには、モータケース開口４０１の位置は下ケース開口５０２に近い位置にあることが望ましい。また、排気損失を低減するためにはモータケース開口４０１より下ケース開口５０２を大きくするのが望ましい。これは、モータケース開口より下ケース開口が小さいと、流れ出る空気の通り道が狭くなっていってしまい最終的な排気抵抗は下ケース開口５０２によって決定されてしまうためである。よって、下ケース開口５０２の大きさはモータケース開口４０１の大きさと同じか大きい方が望ましい。
【００４４】
モータケース開口４０１の周囲にはリブ４０２が設けられ、リブ４０２の先にモータケース開口４０１と下ケース開口５０２を遮る壁４０３を形成する。本実施例において、リブ４０２は板状であり、モータケース開口４０１の側部にモータケース開口４０１に対して略垂直となるよう設けられている。壁４０３は板状であり、モータケース開口４０１と略平行となるようにリブ４０２と接続されている。これによりモータケース開口４０１からの排気は上下に流れることになる。ここで、本実施例では上下に排気流路を形成するようにリブ４０２を設けているが、左右に排気流路を形成してもよい。ここでリブ４０２および壁４０３を別部品により形成してもよいが、部品点数を削減するためモータケース４０と一体にて形成するのが望ましい。
【００４５】
以上のようなモータケース４０は、本実施形態では、難燃材料を含有したＰＰ樹脂が使用されている。この材料は、モータ保護と同時に機体外への延焼防止の観点から考えると難燃性を有することが望ましい。
【００４６】
次に、本実施形態に係る電気掃除機１０の動作について説明しながら作用効果について説明する。
【００４７】
この電気掃除機１０は、図３に示す電動送風機２０のモータ３０３よって回転した送風機構３０１は、吸入口３０５から吸い込んだ空気を昇圧して吸込気流を発生させる。そして、吸込気流は、ディフューザ３０６を介して、モータハウジング３０４内の風路から電動送風機外へ排気される。
【００４８】
その一方で、電気掃除機１０は、電動送風機２０が空気を吸入口３０５から吸い込むことによって、塵埃を同伴する空気を、前記した吸口体１０５（図１参照）等を介してホース継ぎ手２０５側から集塵室２０１内に吸引する。吸引された塵埃を同伴する空気は、紙パック２０４内に導入される。そして、紙パック２０４でろ過された空気は、フィルタ部２０３を介して電動送風機２０の吸入口３０５から吸い込まれることとなる。この際、集塵室２０１内に吸引された空気に同伴する塵埃の大部分は、紙パック２０４で取り除かれると共に、フィルタ部２０３を空気が通過することによって細かな塵埃も取り除かれる。
【００４９】
そして、以上のような電気掃除機１０によれば、電動送風機２０が吸入口３０５から吸い込んだ空気は、電動送風機外へ排出された後、モータケース４０に設けられたモータケース開口４０１へ流出して一度壁４０３へ当たり、モータケース４０の外へ流れる。モータケース開口４０１の先にはすぐ下ケース開口５０２が設けられているため、電動送風機２０が吸入口３０５から吸い込んだ空気は、排気の妨げが少なく電気掃除機１０の機体外へ流出させることができる。その結果、電動送風機２０の排気抵抗が低く抑えられるので、電気掃除機１０の吸込仕事率を向上させることができる。また、この電気掃除機１０によれば、モータケース開口４０１へ流出した空気は、モータケース開口４０１から直接下ケース開口５０２へ流出するのではなく、モータケース開口４０１から一度壁４０３へ当たり、それから下ケース開口５０２へ流出するため、騒音の上昇を抑えることができる。また、排気流路を長く取ることでさらに騒音低減の効果が望める。
【００５０】
図９は従来の電気掃除機の電動送風機をモータケースに取り付けた様子、図１０は従来の電気掃除機の電動送風機とモータケースを下ケースに収めた様子を示す斜視図である。図９に示すように、電動送風機２０に取り付けられるモータケース９０は、モータ上部を覆うように形成される。モータケースの開口と下ケースの開口を共に重なる位置に設けることで、モータから排出される空気の損失は小さくなり吸込仕事率の向上に繋がる。しかし、モータから排出された空気が直接本体の外へ排出されるため、騒音の上昇が更に大きくなってしまう恐れがある。
【００５１】
図６，図７に下ケース開口５０２の開口方向からの投影図、図８に前述の排気流路構成の断面図を示す。図８中の矢印は電動送風機２０からの排気の流れを表している。ここで示す形状では、壁４０３をモータケース開口４０１から離し、更にモータケース開口４０１と下ケース開口５０２が投影方向で重ならないように設けてある。このような配置とすることで、排気抵抗を低く抑え、電気掃除機１０の吸込仕事率を向上させることができる。また、壁４０３をモータケース開口４０１側へ近付ける、または下方へ延長すると開口が狭く、また排気流路が長くなり、排気抵抗は上がるものの騒音低減効果が期待できる。この位置関係は電気掃除機１０に求められる性能により任意の位置としてよい。
【００５２】
また、モータケースの開口と下ケースの開口を共に重なる位置に設けられているだけでは本体外からモータまで連通してしまうため、例えば針金のような物が開口に侵入するとモータの回転部に接触し破損の原因となる恐れがある。しかし、この電気掃除機１０によれば、機体外から例えば針金のような細長い物が下ケース開口５０２から進入したとしても、壁４０３へ当たるため、モータ３０３の回転部に接触することがなく安全である。
【００５３】
さらに、この電気掃除機１０によれば、モータケース開口４０１へ流出した空気は一度壁４０３へ当たるため、直接下ケース開口５０２から流出することがなく、その経路を迂回することで直接下ケース開口５０２から流出する空気よりも温度を下げることができる。
【００５４】
さらに、この電気掃除機１０によれば、万が一モータ３０３から発火が起きた場合、モータケース開口４０１の先に壁４０３が形成されているため、外の構成部品への燃え移りを防ぎ、電気掃除機１０を保護することができる。
【００５５】
また、下ケース５０に取り付けられている車輪１０７を、図７に示すように軸方向から見た際にモータケース開口４０１と下ケース開口５０２を覆うように設けてもよい。こうすることで下ケース開口５０１へ流出した空気は図８に示すように車輪１０７へ当たるため、さらに騒音を抑えることができる。車輪１０７に当たった空気は車輪１０７と下ケース５０の隙間から、車輪１０７の外周方向に広く分散して排出されるため、排気抵抗も小さい。
【符号の説明】
【００５６】
１０  電気掃除機
２０  電動送風機
４０  モータケース
５０  下ケース
１０７  車輪
３０１  送風機構
３０２  ファンハウジング
３０３  モータ
３０４  モータハウジング
３０５  吸入口
３０６  ディフューザ
４０１  モータケース開口
４０３  壁
５０２  下ケース開口
【図１】
2013009788.tif 000003
【図２】
2013009788.tif 000004
【図３】
2013009788.tif 000005
【図４】
2013009788.tif 000006
【図５】
2013009788.tif 000007
【図６】
2013009788.tif 000008
【図７】
2013009788.tif 000009
【図８】
2013009788.tif 000010
【図９】
2013009788.tif 000011
【図１０】
2013009788.tif 000012